【手続補正書】
【提出日】平成20年2月14日(2008.2.14)
【手続補正１】
【補正対象書類名】明細書
【補正対象項目名】特許請求の範囲
【補正方法】変更
【補正の内容】
【特許請求の範囲】
【請求項１】  少なくとも遊技者を特定可能な遊技者特定情報と該遊技者に関する情報が対応付けて登録された遊技者データベースを備える管理コンピュータと、
前記管理コンピュータとデータ通信可能に接続された遊技用装置と、
から構成され、
前記遊技用装置は、前記遊技者特定情報が記録された記録媒体を受付けて該記録情報の読み出しを行う読み出し手段と、該読み出し手段により読み出された前記遊技者特定情報を前記管理コンピュータに送信する送信手段と、を備え、
前記遊技者データベースに登録された前記遊技者に関する情報は、該遊技者に対して催事を案内するためのダイレクトメールが送信されたか否かが特定される情報を含むダイレクトメール送信情報を含み、
前記管理コンピュータは、前記遊技用装置から送信された遊技者特定情報により特定される遊技者が前記ダイレクトメールが送信された遊技者である場合に、該遊技者が催事対象者であると判定する催事対象者判定手段と、該催事対象者判定手段により前記催事対象者であると判定された場合に、前記遊技者特定情報により特定される遊技者が催事対象者である旨を通知する催事対象者通知情報を前記遊技用装置に対して返信する返信手段と、を備え、
前記遊技用装置は、前記管理コンピュータから前記催事対象者通知情報を受信した場合に催事対象者である旨の報知を行う報知手段を備えることを特徴とする遊技用システム。
【請求項２】  前記ダイレクトメール送信情報は、前記ダイレクトメールに対応する催事内容を特定可能な催事内容特定情報を含み、
前記返信手段により前記遊技用装置に対して返信される前記催事対象者通知情報は前記催事内容特定情報を含み、
前記遊技用装置は、前記催事対象者通知情報に含まれる前記催事内容特定情報により特定される催事内容に応じて前記報知手段の報知態様を変化させる報知態様変更手段を備える請求項１に記載の遊技用システム。
【請求項３】  前記ダイレクトメール送信情報は、前記ダイレクトメールに対応する催事内容を特定可能な催事内容特定情報を含み、
前記返信手段により前記遊技用装置に対して返信される前記催事対象者通知情報は前記催事内容特定情報を含み、
前記遊技用装置は、前記催事対象者通知情報に含まれる前記催事内容特定情報により特定される催事内容を表示する表示手段を備える請求項１または２に記載の遊技用システム。
【請求項４】  前記ダイレクトメール送信情報は、前記ダイレクトメールに対応する催事の実施期間を特定可能な催事期間特定情報を含み、
前記催事対象者判定手段は、前記遊技用装置から送信された遊技者特定情報により特定される遊技者が前記ダイレクトメールが送信された遊技者であり、かつ前記ダイレクトメールに対応する催事の実施期間中である場合に、該遊技者が催事対象者であると判定する請求項１〜３のいずれかに記載の遊技用システム。
【請求項５】  前記報知手段が催事対象者である旨の報知を行う時期を設定する報知時期設定手段を備える請求項１〜４のいずれかに記載の遊技用システム。
【請求項６】  前記管理コンピュータは、前記催事対象者である旨の報知回数を催事別、かつ遊技者別に記憶する遊技者別報知回数記憶手段を備え、
前記催事対象者判定手段は、前記遊技用装置から送信された遊技者特定情報により特定される遊技者が前記ダイレクトメールが送信された遊技者であり、かつ該遊技者に対する前記ダイレクトメールに対応する催事の催事対象者である旨の報知回数が所定回数未満である場合に、該遊技者が催事対象者であると判定する請求項１〜５のいずれかに記載の遊技用システム。
【請求項７】  前記管理コンピュータは、前記催事対象者である旨の報知回数を催事別、かつ遊技場内の所定領域別に記憶する領域別報知回数記憶手段と、前記遊技場内の所定領域における催事別の報知回数の上限回数を設定する領域別上限回数設定手段と、を備え、
前記催事対象者判定手段は、前記遊技用装置から送信された遊技者特定情報により特定される遊技者が前記ダイレクトメールが送信された遊技者であり、かつ前記ダイレクトメールに対応する催事の催事対象者である旨の報知回数が前記遊技場内の所定領域において前記上限回数未満である場合に、該遊技者が催事対象者であると判定する請求項１〜６のいずれかに記載の遊技用システム。
【請求項８】  前記管理コンピュータは、前記催事対象者判定手段が催事対象者であると判定した遊技者に対し、前記遊技場にて所定のサービスを受けることができるサービスポイントを付与するポイント付与手段を備える請求項１〜７のいずれかに記載の遊技用システム。
【請求項９】  前記遊技用装置は、前記報知手段による報知に応じて前記催事対象者である旨の情報を外部出力する外部出力手段を備える請求項１〜８のいずれかに記載の遊技用システム。
【手続補正２】
【補正対象書類名】明細書
【補正対象項目名】０００６
【補正方法】変更
【補正の内容】
【０００６】
【課題を解決するための手段】
前記した問題を解決するために、本発明の遊技用システムは、少なくとも遊技者を特定可能な遊技者特定情報と該遊技者に関する情報が対応付けて登録された遊技者データベースを備える管理コンピュータと、
前記管理コンピュータとデータ通信可能に接続された遊技用装置と、
から構成され、
前記遊技用装置は、前記遊技者特定情報が記録された記録媒体を受付けて該記録情報の読み出しを行う読み出し手段と、該読み出し手段により読み出された前記遊技者特定情報を前記管理コンピュータに送信する送信手段と、を備え、
前記遊技者データベースに登録された前記遊技者に関する情報は、該遊技者に対して催事を案内するためのダイレクトメールが送信されたか否かが特定される情報を含むダイレクトメール送信情報を含み、
前記管理コンピュータは、前記遊技用装置から送信された遊技者特定情報により特定される遊技者が前記ダイレクトメールが送信された遊技者である場合に、該遊技者が催事対象者であると判定する催事対象者判定手段と、該催事対象者判定手段により前記催事対象者であると判定された場合に、前記遊技者特定情報により特定される遊技者が催事対象者である旨を通知する催事対象者通知情報を前記遊技用装置に対して返信する返信手段と、を備え、
前記遊技用装置は、前記管理コンピュータから前記催事対象者通知情報を受信した場合に催事対象者である旨の報知を行う報知手段を備えることを特徴としている。
この特徴によれば、遊技者が所持している記録媒体が遊技用装置に受付けられることで、この遊技者がダイレクトメールが送信された催事の対象者となる条件を満たしているか否かが管理コンピュータにて判定され、催事の対象者である場合には、その旨が返信されるとともに、この返信に基づき催事対象者である旨が遊技用装置側で報知されて催事対象者であることが確認できるようになるため、ダイレクトメールが送信された遊技者は、確実に、かつ公平にサービスを受けることができる。また、遊技場の係員による催事対象者か否かの確認作業も容易となるため、これら確認作業に要する時間を短縮できる。
【手続補正３】
【補正対象書類名】明細書
【補正対象項目名】００９１
【補正方法】変更
【補正の内容】
【００９１】
本発明の請求項１は、少なくとも遊技者を特定可能な遊技者特定情報（会員ＩＤ）と該遊技者に関する情報（会員情報）が対応付けて登録された遊技者データベース（会員管理データベース（ＤＢ））を備える管理コンピュータ（会員管理コンピュータ１２０）と、前記管理コンピュータ（会員管理コンピュータ１２０）とデータ通信可能に接続された遊技用装置（カードユニット３）と、から構成され、前記遊技用装置（カードユニット３）は、前記遊技者特定情報（会員ＩＤ）が記録された記録媒体（会員カード）を受付けて該記録情報の読み出しを行う読み出し手段（カードリーダライタ３２７）と、該読み出し手段（カードリーダライタ３２７）により読み出された前記遊技者特定情報（会員ＩＤ）を前記管理コンピュータ（会員管理コンピュータ１２０）に送信する送信手段（制御ユニット３２８）と、を備え、前記遊技者データベース（会員管理ＤＢ）に登録された前記遊技者に関する情報（会員情報）は、該遊技者に対して催事（イベント）を案内するためのダイレクトメールが送信されたか否かが特定される情報を含むダイレクトメール送信情報（ダイレクトメールＮｏ．）を含み、前記管理コンピュータ（会員管理コンピュータ１２０）は、前記遊技用装置（カードユニット３）から送信された遊技者特定情報（会員ＩＤ）により特定される遊技者が前記ダイレクトメールが送信された遊技者である場合に、該遊技者が催事対象者（イベント対象者）であると判定する催事対象者判定手段（ＣＰＵ１２２が行うイベント対象者判定処理）と、該催事対象者判定手段（ＣＰＵ１２２が行うイベント対象者判定処理）により前記催事対象者（イベント対象者）であると判定された場合に、前記遊技者特定情報（会員ＩＤ）により特定される遊技者が催事対象者（イベント対象者）である旨を通知する催事対象者通知情報（イベント対象者通知）を前記遊技用装置（カードユニット３）に対して返信する返信手段（ＣＰＵ１２２が行う返信処理）と、を備え、前記遊技用装置（カードユニット３）は、前記管理コンピュータ（会員管理コンピュータ１２０）から前記催事対象者通知情報（イベント対象者通知）を受信した場合に催事対象者（イベント対象者）である旨の報知を行う報知手段（多機能表示部３０１）を備える。